(57)【要約】      （修正有）【課題】植木鉢皿に溜っている水に蚊が産卵し発生するのを防止し、蚊が媒介するマラリヤ、テング熱等の伝染、感染症を防ぐことができる植木鉢皿用ネットカバーを提供する。【解決手段】長方形に裁断した園芸用防風ネットの４辺の端がそれぞれ内側に折り返してジグザグ縫いされ、２つの長辺の折り返し部分３、４にビニタイ線が通され、植木鉢皿の大きさになるように調整して結ばれ、２つの短辺の折り返し部分１、２を互いに重ねて縫うことにより円形状にして植木鉢皿を覆う。【選択図】図２
0003208722.tif 000002
【実用新案登録請求の範囲】
【請求項１】
図１は園芸用防風ネットを裁断し１２３４を１．５ｃｍ巾で折り返し５ｍｍ巾でジグザグ縫にする、その残りの１ｃｍ巾の部分にビニタイ線を通し、植木鉢皿の大きさに調整して結ぶ。
図２は１と２を重ね縫い合わせた斜視図
図３は植木鉢皿を置いた側面図で５が植木鉢６が植木皿７が皿を覆うネットで９、８はビニタイ線が入って通してある部分
縫製する時の糸はテグスでミシン用の細いナイロン製で縫う。
【考案の詳細な説明】
【技術分野】
【０００１】植木鉢に水やりすると皿に水が溜まり蚊の発生を防ぐ
【背景技術】
【０００２】蚊が媒介するマラリヤ、テング熱などの伝染、感染症を防ぐ
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】身近な家の周り、ベランダなど、植木鉢皿の水溜りが蚊の発生原因である。
【課題を解決するための手段】このネットで植木皿を覆うと蚊の発生がなくなり感染症も防げる。
【考案の効果】植木皿に少しでも水が溜っていると蚊が発生するのを防ぐ。
【図面の簡単な説明】
【図１】園芸用防風ネットを長方形に裁断し円形になるよう縫製したもの。
【考案を実施するための形態】
このネットカバーは普通に覆っていれば破傷しなく見ばえも損わない。
【実施例】ビニタイ線を結んでおくとズレもなくスキマもなくなる。
【産業上の利用可能性】蚊が産卵するスキマもない。
【符号の説明】１、２、３  ４は平面図
１と２を縫製し円形になった斜視図
５、６、７は側面図で７がネットで植木鉢皿を覆う部分になる。
【図１】
0003208722.tif 000003
【図２】
0003208722.tif 000004
【図３】
0003208722.tif 000005
【手続補正書】
【提出日】平成27年11月28日(2015.11.28)
【手続補正１】
【補正対象書類名】実用新案登録請求の範囲
【補正対象項目名】全文
【補正方法】変更
【補正の内容】
【実用新案登録請求の範囲】
【請求項１】
植木鉢皿を覆うネットカバーを考案したものである。
【請求項２】
このネットカバーは植木鉢皿の水溜りに蚊が産卵し、蚊の発生を防ぐものである。
【請求項３】
製作する材料はホームセンターなどで購入でき、製図，製作は簡単でミシンで縫製できる植木鉢皿を覆うネットカバーである。
【手続補正２】
【補正対象書類名】明細書
【補正対象項目名】全文
【補正方法】変更
【補正の内容】
【考案の詳細な説明】
【技術分野】
【０００１】植木鉢に置く皿に水が溜り蚊の産卵、発生を防ぐネットカバーである
【背景技術】
【０００２】蚊が媒介するマラリヤ、テング熱などの伝染、感染症を少しでも身近な周辺から防ぐ
【考案の概要】
【考案が解決しようとする課題】
【０００３】身近な家の周辺、ベランダなどに置いてある植木鉢の皿の水溜りが蚊の産卵、発生の原因を少しでも防ぐ
【考案の効果】
【０００４】植木鉢皿に少しでも水が溜っていると蚊の産卵、発生を防ぐ
【図面の簡単な説明】
【０００５】
【図１】平面図
【図２】斜視図
【図３】側面図
【考案を実施するための形態】
【０００６】この植木鉢ネットカバーは普通に覆っていれば破傷しにくく見栄えも損なわない
【実施例】
【０００７】ビニタイ線を上下にきちんと結んでおくとズレも隙間もなくなる
【産業上の利用可能性】
【０００８】材料費も安価で縫製も簡単である
【符号の説明】
【０００９】  １    図１は園芸用ネットを小のサイズで裁断し平面図にしたもの。３，４の上下の縫い代を１．５ｃｍ幅で内側に折りミシンでジグザグ縫いにし、ビニタイ線の針金を通す部分である。
２．１，２は重ね縫いすると円形のデザインになる。
２    図２は斜視図で円形に出来上がったネットにビニタイ線５，６を上下３，４に通し植木鉢に合うよう引っ張りねじりをしたもの。１，２は重ね縫いした部分である。
３    図３は側面図になり植木鉢７に皿８を置きネットカバー９を覆い１１，１２はビニタイ線を引っ張りねじった図になります。
【手続補正書】
【提出日】平成28年2月12日(2016.2.12)
【手続補正１】
【補正対象書類名】実用新案登録請求の範囲
【補正対象項目名】全文
【補正方法】変更
【補正の内容】
【実用新案登録請求の範囲】
【請求項１】
植木鉢皿を覆うネットカバーを考案したものである。
【請求項２】
このネットカバーは植木鉢皿の水溜りに蚊が産卵し、蚊の発生を防ぐものである。
【請求項３】
製作する材料はホームセンターなどで購入でき、製図，製作は簡単でミシンで縫製できる植木鉢皿を覆うネットカバーである。
【手続補正２】
【補正対象書類名】明細書
【補正対象項目名】全文
【補正方法】変更
【補正の内容】
【考案の詳細な説明】
【技術分野】
【０００１】植木鉢に置く皿に水が溜り蚊の産卵、発生を防ぐネットカバーである
【背景技術】
【０００２】蚊が媒介するマラリヤ、テング熱、ジカ熱などの伝染、感染症を少しでも身近な周辺から防ぐ
【考案の概要】
【考案が解決しようとする課題】
【０００３】身近な家の周辺、ベランダなどに置いてある植木鉢の皿の水溜りが蚊の産卵、発生の原因を少しでも防ぐ
【考案の効果】
【０００４】植木鉢皿に少しでも水が溜っていると蚊の産卵、発生を防ぐ
【図面の簡単な説明】
【０００５】
【図１】平面図
【図２】斜視図
【図３】側面図
【考案を実施するための形態】
【０００６】この植木鉢ネットカバーはきちんと覆っていれば、破傷しにくく見栄えも損なわない
【実施例】
【０００７】ビニタイ線を上下にしっかりきちんと結んでおくとズレも隙間もなくなる
【産業上の利用可能性】
【０００８】材料費も安価でほうせいも簡単である
【符号の説明】
【０００９】１    図１は園芸用ネットを小のサイズで裁断し平面図にしたもの。３，４の上下の縫い代を５ｃｍ幅で内側に折りミシンでジグザグ縫いにし、ビニタイ線の針金を通す部分である。２は重ね縫いすると円形のデザインになる。
２    図２は斜視図で円形に出来上がったネットにビニタイ線５，６を上下３，４に通し植木鉢に合うよう引っ張りねじりをしたもの。１，２は重ね縫いした部分である。
３    図３は側面図になり植木鉢７に皿８を置きネットカバー９を覆い１１，１２はビニタイ線を引っ張りねじった図になります。
【手続補正書】
【提出日】平成28年5月10日(2016.5.10)
【手続補正１】
【補正対象書類名】実用新案登録請求の範囲
【補正対象項目名】全文
【補正方法】変更
【補正の内容】
【実用新案登録請求の範囲】
【請求項１】
長方形に裁断した園芸用防風ネットの４辺の端をそれぞれ内側に折り返してジザグ縫いされ、２つの長辺の折り返し部分にビニタイ線が通され、植木鉢皿の大きさになるように調整して結ばれ、２つの短辺の折り返し部分を互いに重ねて縫うことにより円形状にした、植木鉢皿を覆う植木鉢皿用ネットカバー。
【請求項２】
この植木鉢皿用ネットカバーをすることにより、植木鉢皿の水溜まりに蚊が産卵し、蚊の発生を防ぎ蚊の媒介するマラリヤ、テング熱、ジカ熱等の伝染、感染症等を少しでも身近なベランダ、家庭菜園から防ぐための植木鉢皿用ネットカバーである。
【請求項３】
製作縫製する材料はホームセンターなどで購入でき、ミシンで簡単な直線縫いジグザグ縫いの２通り縫い、植木鉢皿を覆うネットカバーができる。
【手続補正書】
【提出日】平成28年8月19日(2016.8.19)
【手続補正１】
【補正対象書類名】実用新案登録請求の範囲
【補正対象項目名】全文
【補正方法】変更
【補正の内容】
【実用新案登録請求の範囲】
【請求項１】
長方形に裁断した園芸用防風ネットの４辺の端をそれぞれ内側に折り返してジザグ縫いされ、２つの長辺の折り返し部分にビニタイ線が通され、植木鉢皿の大きさになるように調整して結ばれ、２つの短辺の折り返し部分を互いに重ねて縫うことにより円形状にした、植木鉢皿を覆う植木鉢皿用ネットカバー。
【請求項２】
植木鉢皿の水溜まりに蚊が産卵し、蚊の発生を防ぎ蚊の媒介する
マラリヤ、テング熱、ジカ熱等の伝染、感染症等を少しでも身近なベランダ、家庭菜園から防ぐための請求項１に記載の植木鉢皿用ネットカバー。
【請求項３】
物品の形状、構造または組み合わせに係るもの。
【手続補正書】
【提出日】平成28年11月2日(2016.11.2)
【手続補正１】
【補正対象書類名】実用新案登録請求の範囲
【補正対象項目名】全文
【補正方法】変更
【補正の内容】
【実用新案登録請求の範囲】
【請求項１】
長方形に裁断した園芸用防風ネットの４辺の端をそれぞれ内側に折り返してジザグ縫いされ、２つの長辺の折り返し部分にビニタイ線が通され、植木鉢皿の大きさになるように調整して結ばれ、２つの短辺の折り返し部分を互いに重ねて縫うことにより円形状にした、植木鉢皿を覆う植木鉢皿用ネットカバー。
【請求項２】
植木鉢皿の水溜まりに蚊が産卵し、蚊の発生を防ぎ蚊の媒介する
マラリヤ、テング熱、ジカ熱等の伝染、感染症等を少しでも身近なベランダ、
家庭菜園から防ぐための請求項１に記載の植木鉢皿用ネットカバー。
【請求項３】
製作縫製する材料はホームセンターなどで購入でき、ミシンで簡単な直線縫い  ジグザグ縫いの２通り縫いにより縫製される、請求項１に記載の植木鉢皿を覆うネットカバー